(57)【要約】【課題】既存の石橋の欄干を外観を損ねることなく補強し、欄干の崩壊を防止すること。【解決手段】本発明では、石橋(1)の上部に基礎石(10)を設置するとともに、基礎石(10)の上部に柱(11)を間隔をあけて設置し、柱(11)の上端部間に笠(12)を設置した石橋(1)の欄干(2)を補強するための石橋(1)の欄干補強構造において、基礎石(10)及び柱(11)の内部に補強体(13)を貫通状に設け、補強体(13)の下端部を石橋(1)の内部で固定するとともに、補強体(13)の上端部を笠(12)の内部で固定することにした。また、前記基礎石(10)と笠(12)とにホゾ(28,29)を形成し、ホゾ(28,29)に柱(11)の上下端部を嵌入することにした。さらに、前記石橋(1)を構成する円弧状に積み上げた複数の拱環石(6)の上面側に支持体(19)を張設するとともに、支持体(19)に前記補強体(13)の下端部を固定することにした。【選択図】図２
2010185233.tif 000002
【特許請求の範囲】
【請求項１】
石橋の上部に基礎石を設置するとともに、基礎石の上部に柱を間隔をあけて設置し、柱の上端部間に笠を設置した石橋の欄干を補強するための石橋の欄干補強構造において、
基礎石及び柱の内部に補強体を貫通状に設け、補強体の下端部を石橋の内部で固定するとともに、補強体の上端部を笠の内部で固定したことを特徴とする石橋の欄干補強構造。
【請求項２】
前記基礎石と笠とにホゾを形成し、ホゾに柱の上下端部を嵌入したことを特徴とする請求項１に記載の石橋の欄干補強構造。
【請求項３】
前記石橋を構成する円弧状に積み上げた複数の拱環石の上面側に支持体を張設するとともに、支持体に前記補強体の下端部を固定したことを特徴とする請求項１又は請求項２に記載の石橋の欄干補強構造。
【発明の詳細な説明】
【技術分野】
【０００１】
本発明は、石橋の上部に基礎石を設置するとともに、基礎石の上部に柱を間隔をあけて設置し、柱の上端部間に笠を設置した石橋の欄干を補強するための石橋の欄干補強構造に関するものである。
【背景技術】
【０００２】
古くから河川に架けられる橋として、特許文献１に開示されているように、石を積み上げて形成した石橋が建造されている。この石橋には、落下防止のために左右縁部に欄干が設けられている。
【０００３】
通常、石橋に設けられた欄干は、石橋の上部に基礎石を載置するとともに、基礎石の上部に石製の柱を間隔をあけて載置し、柱の上端部間に石製の笠を載置した構造となっている。
【先行技術文献】
【特許文献】
【０００４】
【特許文献１】特開平７−６２６０９号公報
【発明の概要】
【発明が解決しようとする課題】
【０００５】
ところが、上記従来の石橋の欄干にあっては、石橋の上部に基礎石を設置するとともに、基礎石の上部に柱を間隔をあけて載置し、柱の上端部間に笠を載置した構造であったために、長期間の使用の間に振動や劣化などの影響で欄干が崩壊してしまうおそれがあった。
【０００６】
そこで、本発明者は、崩壊のおそれのある既存の石橋の欄干を外観を損ねることなく補強するための構造について鋭意研究を重ね、本発明の完成に至った。
【課題を解決するための手段】
【０００７】
すなわち、請求項１に係る本発明では、石橋の上部に基礎石を設置するとともに、基礎石の上部に柱を間隔をあけて設置し、柱の上端部間に笠を設置した石橋の欄干を補強するための石橋の欄干補強構造において、基礎石及び柱の内部に補強体を貫通状に設け、補強体の下端部を石橋の内部で固定するとともに、補強体の上端部を笠の内部で固定することにした。
【０００８】
また、請求項２に係る本発明では、前記請求項１に係る本発明において、前記基礎石と笠とにホゾを形成し、ホゾに柱の上下端部を嵌入することにした。
【０００９】
また、請求項３に係る本発明では、前記請求項１又は請求項２に係る本発明において、前記石橋を構成する円弧状に積み上げた複数の拱環石の上面側に支持体を張設するとともに、支持体に前記補強体の下端部を固定することにした。
【発明の効果】
【００１０】
そして、本発明では、以下に記載する効果を奏する。
【００１１】
すなわち、本発明では、石橋の上部に基礎石を設置するとともに、基礎石の上部に柱を間隔をあけて設置し、柱の上端部間に笠を設置した石橋の欄干を補強するための石橋の欄干補強構造において、基礎石及び柱の内部に補強体を貫通状に設け、補強体の下端部を石橋の内部で固定するとともに、補強体の上端部を笠の内部で固定することにしているために、既存の石橋の欄干を外観を損ねることなく補強することができ、欄干の崩壊を防止することができる。
【００１２】
特に、基礎石と笠とにホゾを形成し、ホゾに柱の上下端部を嵌入することにした場合には、欄干の強度を増大させることができる。
【００１３】
また、石橋を構成する円弧状に積み上げた複数の拱環石の上面側に支持体を張設するとともに、支持体に補強体の下端部を固定することにした場合には、拱環石に下側から突き上げる力が作用しても張設された支持体で拱環石が上方に向けてずれるのを防止することができ、石橋の崩壊をも防止することができる。
【図面の簡単な説明】
【００１４】
【図１】本発明に係る石橋及び欄干を示す側面図。
【図２】同側面一部切欠断面図。
【図３】同部分拡大側面断面図。
【図４】同部分拡大正面断面図。
【図５】同部分拡大正面断面図（敷石に設けた支持体で固定する場合）。
【図６】同部分拡大正面断面図（アンカーで固定する場合）。
【発明を実施するための形態】
【００１５】
以下に、本発明に係る石橋の欄干補強構造の具体的な構成について図面を参照しながら説明する。
【００１６】
本発明は、図１に示すように、石橋１の左右縁上部に設けられた欄干２を補強する構造に関するものである。
【００１７】
石橋１は、従来より、地盤３に一対の土台4,5を形成し、土台4,5の間に複数の拱環石６を円弧状に積み上げてアーチ７を形成し、アーチ７の左右縁上部に壁石８を積み上げるとともに、左右の壁石８の間に中詰め土砂を詰め込み、上端部に敷石９を平坦状に載置している。
【００１８】
欄干２は、石橋１の敷石９の左右縁上部に基礎石10を敷設するとともに、基礎石10の上部に前後に間隔をあけて複数の角柱状の石製の柱11を載設し、柱11の上端部間に石製の笠12を架設している。
【００１９】
そして、本発明では、図２〜図４に示すように、基礎石10及び柱11の内部に補強体13を貫通状に設け、補強体13の下端部を石橋１の内部で固定するとともに、補強体13の上端部を笠12の内部で固定している。
【００２０】
補強体13は、棒状の本体部14の下端部に末広がり状の固定部15を形成するとともに、固定部15に貫通孔16を形成する一方、本体部14の上端部に水平円板状に張出した留部17を着脱自在に形成している。なお、留部17は、本体部14に螺着したナットを用いることもできる。
【００２１】
この補強体13は、固定部15を石橋１の内部で固定している。
【００２２】
この固定方法としては様々な方法が考えられるが、図２〜図４に示す固定方法では、石橋１のアーチ７を構成する複数の拱環石６の上面側に連続する一条の溝18を形成し、溝18に円弧棒状の支持体19を収容し、支持体19を拱環石６（アーチ７）の上面側を下方に向けて付勢した状態で張設し、支持体19の端部を土台4,5の内部のアーチ７の端部において支持板20,20で固定し、その支持体19を補強体13の固定部15に形成した貫通孔16に挿通させることで、補強体13の固定部15を石橋１の内部で固定している。
【００２３】
また、図５に示す固定方法では、石橋１の敷石９の上面側に一条の溝21を形成し、溝21に直線棒状の支持体22を収容し、支持体22を敷石９の端部で固定し、その支持体22を補強体13の固定部15に形成した貫通孔16に挿通させることで、補強体13の固定部15を石橋１の内部で固定している。
【００２４】
また、図６に示す固定方法では、補強体13の下端部にJ字型のアンカー形状の固定部23を形成し、この固定部23を敷石９の内部に直接固定することで、補強体13の固定部23を石橋１の内部で固定している。
【００２５】
さらに、補強体13は、図２〜図４に示すように、敷石９と基礎石10と柱11にそれぞれ形成した貫通状の挿通孔24,25,26に本体部14を挿通するとともに、隣接する笠12の端部同士に嵌合状に形成した断面下向き凸型の段付き穴27に留部17を埋設しており、補強体13の周囲の空間をボンドやセメントなどの接着剤（図示省略）で充填している。
【００２６】
ここで、基礎石10の上端部と隣接する笠12の端部下側には、凹状のホゾ28,29がそれぞれ形成されており、柱11は、上下端部をホゾ28,29に嵌入させている。
【００２７】
そして、石橋１の欄干２を補強する際には、補強体13の下端部を石橋１の内部で固定した後に、基礎石10の挿通孔25に補強体13の本体部14を挿通させて基礎石10を石橋１の敷石９の上部に設置し、その後、柱11の挿通孔26に補強体13の本体部14を挿通させるとともに柱11の下端部を基礎石10の上端部に形成したホゾ28に嵌入させて柱11を基礎石10の上部に設置し、その後、補強体13の上端部に留部17を取付け、柱11の挿通孔26から接着剤を注入するとともに、柱11の上端部に笠12のホゾ29を嵌入させながら柱11の上端部に隣接する一対の笠12を段付き穴27の内部まで塗布した接着剤で固定する。
【００２８】
以上に説明したように、本発明では、基礎石10及び柱11の内部に補強体13を貫通状に設け、補強体13の下端部を石橋１の内部で固定するとともに、補強体13の上端部を笠12の内部で固定することにしている。
【００２９】
そのため、本発明では、既存の石橋１の欄干２を外観を損ねることなく補強することができ、欄干２の崩壊を防止することができる。
【００３０】
また、本発明では、基礎石10と笠12とにホゾ28,29を形成し、ホゾ28,29に柱11の上下端部を嵌入することにしているために、欄干２の強度を増大させることができる。
【００３１】
また、本発明では、石橋１を構成する円弧状に積み上げた複数の拱環石６の上面側に支持体19を張設するとともに、支持体19に補強体13の下端部を固定することにしているために、拱環石６に下側から突き上げる力が作用しても張設された支持体19で拱環石６が上方に向けてずれるのを防止することができ、石橋１の崩壊をも防止することができる。
【符号の説明】
【００３２】
１  石橋                        ２  欄干
３  地盤                        4,5  土台
６  拱環石                      ７  アーチ
８  壁石                        ９  敷石
10  基礎石                      11  柱
12  笠                          13  補強体
14  本体部                      15  固定部
16  貫通孔                      17  留部
18  溝                          19  支持体
20  支持板                      21  溝
22  支持体                      23  固定部
24,25,26  挿通孔                27  段付き穴
28,29  ホゾ
【図１】
2010185233.tif 000003
【図２】
2010185233.tif 000004
【図３】
2010185233.tif 000005
【図４】
2010185233.tif 000006
【図５】
2010185233.tif 000007
【図６】
2010185233.tif 000008